(57)【要約】【課題】敷設した防草シートの上方において日光による温度上昇を低減し、太陽電池モジュールの発電効率の低下を防止する。【解決手段】ポリエチレンなどのポリオレフィン系樹脂からなる非遮光性の合成樹脂シートと、ポリエステルなどからなる不織布を積層したシートであって、不織布面から見た色が淡い青や淡い緑などの淡色となるように着色される。この防草シートは、太陽電池モジュールの設置に際し、好ましくは不織布面を空に向けて敷設される。【選択図】なし【特許請求の範囲】
【請求項１】
非遮光性の合成樹脂シートと不織布を積層した防草シート。
【請求項２】
淡色に着色された請求項１に記載の防草シート。
【請求項３】
前記合成樹脂シートは耐水性のある合成樹脂シートである請求項１又は２に記載の防草シート。
【請求項４】
前記合成樹脂シートはポリオレフィン樹脂からなる請求項１又は２に記載の防草シート。
【請求項５】
前記不織布はポリエステル樹脂からなる請求項１〜４の何れか１項に記載の防草シート。
【請求項６】
太陽電池モジュールを架台を用いて又は架台を用いずに地表面に設置するに際し、
太陽電池モジュールの設置前及び／又は設置後に、
請求項１〜５の何れか１項に記載の防草シートを敷設する工程を有することを特徴とする太陽電池モジュールの設置方法。
【発明の詳細な説明】
【技術分野】
【０００１】
本発明は防草シート、特に太陽電池モジュールの設置に好適な防草シートに関する。
【背景技術】
【０００２】
太陽電池モジュールを設置する場合、一般的に整地した平坦面や傾斜面である地表面に設置した架台上に太陽電池モジュールが設置される。この際、地表面から生える雑草による悪影響を避けるため、太陽電池モジュールの下方又はその周囲に防草シートが設けられることがある。
【０００３】
防草シートとして、例えば、特許文献１（特開平０９−９９９８０号公報）には、不織布や織物からなる補強用シートにポリオレフィン系樹脂などからなる遮光性フィルムがラミネートされた防草シートが記載されている。特許文献２（特開２００２−２８１８３８号公報）には、ポリエステル繊維などのスパンボンドとウールを主成分とする不織布が積層された防草シートが記載されている。特許文献３（特開２００７−２５２３１４号公報）には、メルトブローン不織布にポリビニルアルコール繊維、疎水性繊維及び熱融着性繊維を含む乾式不織布が積層された防草シートが記載されている。特許文献４（特開２００２−３６９６３０号公報）には、やし繊維等の植物性繊維からなる布帛と、生分解性樹脂組成物や光分解性樹脂組成物からなる樹脂フィルムが積層された防草シートが記載されている。特許文献５（実開昭６３−１９４９０６号公報）には、軟化点１００℃以上の熱可塑性合成樹脂シートからなる波形に形付けされた表面層と合成樹脂不織布シートからなる裏面層とが積層され、表面層がポリオレフィン樹脂からなり、裏面層がポリエステル樹脂からなる防草シートが記載されている。
【０００４】
一般に地表面に敷設する防草シートには、種子の発芽を抑えるために、遮光性が担保されている。例えば特許文献１に記載の防草シートには、光を透過しがたい遮光性フィルムが用いられている。特許文献２に記載の防草シートでは、ウールを主体とする不織布で遮光性が担保されている。特許文献３に記載の防草シートでは、メルトブローン不織布にカーボンブラックが配合されている。さらに特許文献４に記載の防草シートでは、植物性繊維からなる布帛により遮光性が担保されている。
【０００５】
しかしながら、太陽電池モジュールの設置時に遮光性、特に黒色系統の防草シートを施工すると、日光により防草シート上方の温度（気温）が上昇し、太陽電池モジュールの発電効率が低下する懸念がある。
【０００６】
また、特許文献２や３に記載された防草シートは不織布の積層体からなるので十分な防水性を備えず、植物の生育を抑え切れずに茎が堅い雑草がシートを突き破ることが考えられる。
【０００７】
さらに特許文献４の防草シートは、生分解性素材が用いられているので耐候性や耐久性が弱く、太陽光発電施設のように長期間の使用が予定されているような場所には好ましくない。
【０００８】
一方、特許文献５の防草シートはアスファルト舗装の際にアスファルトの下地層に用いられる防草シートであるので、遮光性が考慮されたものではない。また、この防草シートの合成樹脂シートは、アスファルト合材との密着性を増すために形付けされた波形を有するが、地表面に敷設する場合には、このような形付けは不要である。
【先行技術文献】
【特許文献】
【０００９】
【特許文献１】特開平０９−９９９８０号公報
【特許文献２】特開２００２−２８１８３８号公報
【特許文献３】特開２００７−２５２３１４号公報
【特許文献４】特開２００２−３６９６３０号公報
【特許文献５】実開昭６３−１９４９０６号公報
【発明の概要】
【発明が解決しようとする課題】
【００１０】
本発明は上記の背景技術に鑑みてなされたものであって、本発明は、敷設した防草シートの上方において日光による温度上昇を低減し、太陽電池モジュールの発電効率の低下を防ぐことを課題とする。
【課題を解決するための手段】
【００１１】
本発明は、非遮光性の合成樹脂シートに不織布を積層することで、防草シート表面における放射熱を抑え、防草シートの上方における温度上昇を抑制する。
【発明の効果】
【００１２】
本発明の防草シートは、非遮光性の合成樹脂シートに不織布が積層されているので、防草シート、特に不織布面からの放射熱が減少し、日光による防草シート上方における温度上昇が抑えられる。また、合成樹脂シートと不織布の積層体となっているので、強度が担保され、茎の堅い植物でも防草シートが突き破られることも少ない。
【発明を実施するための形態】
【００１３】
本発明に係る防草シートは、合成樹脂シートと不織布の積層シートである。合成樹脂シートに用いられる材質は、特に制限されるものではないが、強度を担保する観点では、ポリオレフィン系樹脂が好ましい。当該ポリオレフィン系樹脂は、例えば、ポリエチレン樹脂であり、ポリプロピレン樹脂であり、好ましくはポリエチレン樹脂である。本発明では合成樹脂シートは非遮光性のものが用いられる。非遮光性は当業者に用いられる意味で用いられ、具体的にはＪＩＳ遮光性試験において、遮光率が９９.０％未満であることを意味する。また、後述するように着色されたものであってもよい。合成樹脂シートの厚みも特に限定されるものではなく、５〜５００μｍの厚さのものが好ましく用いられる。
【００１４】
当該合成樹脂シートは雨水を透過させるための孔を有していない（無孔性）。ここで、「無孔性」とは水の透過性を高めるために特別に加工された孔を有しないとの意味で用いられる。合成樹脂シートは孔開け加工を施すことなく、一般的な製造方法で製造された樹脂シートで足りる。また、防水性を有するシートが好ましい。水を通さないことで発芽を抑えるだけでなく、防草シート上に溜まる水が蒸発することで防草シート上方の温度上昇の抑制が期待される。
【００１５】
積層される不織布は繊維を織らずに絡み合わせたシート状物である。本発明において、不織布は狭義の不織布ではなく、紙やフェルトを含むが、編み物は含まず、狭義の不織布より広い意味で用いられる。その材質は、パルプや羊毛、麻、綿などの天然繊維であり、ポリエステルやレーヨン、アクリル、ポリウレタン、アセテートなどの化学繊維であり得る。不織布にはこれらの１種若しくは２種以上の繊維が用いられる。これらの繊維のうち、耐候性の観点や合成樹脂シートとの積層作業性から、ポリエステルやレーヨンなどの化学繊維が好ましい。不織布を積層することで、防草シートからの放射熱を少なくして、防草シート上の温度上昇を低減する。不織布の厚みも特に制限されず、５〜５００μｍの厚さのものが好ましく用いられる。また、不織布には親水性又は保水性のある不織布も好ましく用いられる。不織布からの水の蒸発による温度低下が期待できるからである。
【００１６】
本発明に係る防草シートは、合成樹脂シートと不織布を積層することで得られる。この防草シートは、特許文献５に記載されたように波形の合成樹脂シートが不織布に積層したものではなく、両者が全面においてほぼ密着した状態で積層されたものである。積層方法も特に制限されず、シート状物を積層する公知の方法が用いられる。例えば、熱融着による方法や接着剤による方法が例示される。
【００１７】
本発明に係る防草シートでは、黒色や灰色のような遮光性を有する合成樹脂シートではなく、遮光性のない合成樹脂シートに不織布を積層しているので、その両面、特に不織布面における放射率（放射熱）が黒色や灰色のような遮光性シートのそれよりも小さくなり、防草シートからの熱放射を低減する。
【００１８】
本発明では、防草シートは着色されることが好ましい。ポリエステルやレーヨンなどの化学繊維からなる不織布はほぼ白色である。また、ポリオレフィン系の合成樹脂シートは透明であることが多い。従って、両者を積層した防草シートは、不織布面及び合成樹脂シート面の何れの面においても白色となり、反射率が高くなる。この結果、反射光による放熱が増大して、温度上昇を防げなくなるおそれがある。従って、少なくとも不織布面から見た色が非白色となるように着色されることが好ましい。このとき、明度が低くなると黒色に近づいたり、濃色になると遮光性が高くなるので、着色には淡い青や淡い緑、淡い黄色、淡い赤色などの淡色が好ましい。ここで淡色とは濃色に対する概念であって、明度や反射率が濃色のそれよりも大きいことである。より具体的に言えば、白色（反射率１００％）を１０、黒色（反射率０％）を０とするマンセル明度を基準にした場合では、明度が６〜９、好ましくは７〜９程度、白色を１００％、黒色を０％とする反射率を基準にした場合では、反射率が３０％よりも大きく８０％以下、好ましくは４０％以上８０％以下の色であり、どちらかの一方の指標が満たされればよい。なお、暗い緑色（JISによる色の表示方法  ３属性による）は反射率１２％程度であり、反射率が１２％の場合明度は４であるとされる。
【００１９】
防草シートの着色は、少なくとも不織布面における反射率が着色前に比べて低下するように行われる。着色は、合成樹脂シートへの着色又は不織布への着色への何れでもよく、両者への着色でもよい。また、両者を積層する際に用いられる接着剤への着色でも差し支えない。
【００２０】
本発明に係る防草シートは、太陽電池モジュールを地表面に設置する際に好ましく用いられる。本発明に係る太陽電池モジュールの設置方法は、太陽電池モジュールを架台を用いて地表面に設置するに際し、太陽電池モジュールの設置前又は設置後に、本発明に係る防草シートを地表面に敷設する工程を有する。つまり、太陽電池モジュールの下方やその周辺に防草シートを敷設した後、太陽電池モジュールの設置に必要な架台を設ける。また、架台や太陽電池モジュールの設置後に、その下方や架台の周囲に防草シートを敷設する。なお、本発明の設置方法には、既に設置された太陽電池モジュールの下方やその周囲に防草シートを敷設する場合も含まれるのは言うまでも無い。もっとも架台を用いずに太陽電池モジュールを設置する場合においても、本発明に係る防草シートを用いるのが好ましい。これにより、防草シートの上方において、従来の遮光性を有する防草シートに比べて日光による温度上昇が抑えられる。不織布面又は合成樹脂シート面の何れの面を空に向けて本発明に係る防草シートを敷設してもよいが、好ましくは不織布面を空に向けるのが好ましい。
【００２１】
もっとも、本発明に係る防草シートは、太陽電池モジュールの設置目的での使用に限られず、防草目的に加えて、日中時日光による周囲の温度上昇を防ぐ目的で使用できるのは言うまでもない。
【産業上の利用可能性】
【００２２】
本発明は、設置された太陽電池モジュール周辺の雑草の生育を抑えるだけでなく、太陽電池モジュールへの日光による悪影響を低減する防草シートを提供する。